(57)【要約】【課題】  体がひねられたようなストレッチの体感を利用者に満喫させることのできる施療装置を提供する。【解決手段】  施療装置本体の中心線の左右に略対称かつ装置本体の中心線方向に沿って複数設けられるとともに膨縮により被施療部を押圧するエアバッグ６Ｒ〜１０Ｒ，６Ｌ〜１０Ｌと、エアバッグ６Ｒ〜１０Ｒ，６Ｌ〜１０Ｌを膨縮させる給排気装置とを備え、左側に位置する複数のエアバッグ６Ｌ〜１０Ｌを施療装置本体の中心線に沿う方向の一端側から他端側に向けて順次膨張させるとともに、右側に位置する複数のエアバッグ６Ｒ〜１０Ｒを施療装置本体の中心線に沿う方向の他端側から一端側に向けて順次膨張させる。【選択図】        図４
2005328942.tif 000002
【特許請求の範囲】
【請求項１】
施療装置本体の中心線の左右に略対称かつ前記装置本体の中心線方向に沿って複数設けられるとともに膨縮により被施療部を押圧するエアバッグと、
前記エアバッグを膨縮させる給排気装置とを備え、
左右どちらか一方側に位置する前記複数のエアバッグを前記中心線に沿う方向の一端側から他端側に向けて順次膨張させるとともに、
左右どちらか他方側に位置する前記複数のエアバッグを前記中心線に沿う方向の他端側から一端側に向けて順次膨張させることを特徴とする施療装置。
【請求項２】
左右の一方側に位置する複数のエアバッグの膨張動作と、左右の他方側に位置する複数のエアバッグの膨張動作とを同期させることを特徴とする請求項１に記載の施療装置。
【請求項３】
施療装置本体の中心線の左右に略対称にそれぞれ設けられた施療子と、
該施療子を被施療部に対して進退方向に駆動する駆動手段と、
該施療子を前記施療装置本体の中心線に沿う方向に移動させる移動手段とを備え、
前記移動手段によって、左右どちらか一方側の前記施療子を被施療部に対して進出させた状態で前記中心線に沿う方向の一端側から他端側に向けて移動させるとともに、左右どちらか他方側の前記施療子を被施療部に対して進出させた状態で前記中心線に沿う方向の他端側から一端側に向けて移動させることを特徴とする施療装置。
【発明の詳細な説明】
【技術分野】
【０００１】
本発明は施療装置に係り、特に、エアバッグに空気を給排気させることにより、エアバッグを膨縮させて施療を行う施療装置に関する。
【背景技術】
【０００２】
施療装置として、例えば、椅子式施療装置がある。椅子式施療装置は、座部と、この座部の後部にリクライニング可能に取り付けられた背凭れとを備え、利用者は、この椅子式施療装置に腰掛けた状態で施療行為を受けることができる。
【０００３】
このような椅子式施療装置において、座部には、腿をマッサージする腿用エアバッグ、および尻をマッサージする尻用エアバッグが設けられ、また背凭れには、肩をマッサージする肩用エアバッグ、背中をマッサージする背中用エアバッグ、および腰をマッサージする腰用エアバッグが設けられ、これら各エアバッグを膨縮させて利用者の各部位に対してマッサージを行うようになっている（例えば、特許文献１参照）。
【特許文献１】特開２０００−８４０２０号公報
【発明の開示】
【発明が解決しようとする課題】
【０００４】
ところで、上記各エアバッグのうち、肩用エアバッグ、背中用エアバッグおよび腰用エアバッグは施療装置本体、つまり背凭れの中心線に対して左右２列に配列されている。
【０００５】
しかしながら、上記従来の施療装置では、２列に配列された上記各エアバッグを左右同時に膨縮させる機能しか備えていないため、体がひねられたようなストレッチの体感を利用者に満喫させることができなかった。
【０００６】
本発明の課題は、体がひねられたようなストレッチの体感を利用者に満喫させることのできる施療装置を提供することにある。
【課題を解決するための手段】
【０００７】
上記課題を解決するために、本発明は、施療装置本体の中心線の左右に略対称かつ前記装置本体の中心線方向に沿って複数設けられるとともに膨縮により被施療部を押圧するエアバッグと、前記エアバッグを膨縮させる給排気装置とを備え、左右どちらか一方側に位置する前記複数のエアバッグを前記中心線に沿う方向の一端側から他端側に向けて順次膨張させるとともに、左右どちらか他方側に位置する前記複数のエアバッグを前記中心線に沿う方向の他端側から一端側に向けて順次膨張させることを特徴としている。
【０００８】
上記構成によれば、例えば左側に位置する複数のエアバッグを施療装置本体の中心線に沿う方向の一端側から他端側に向かって順次膨張させ、このとき同時に、右側に位置する複数のエアバッグを施療装置本体の中心線に沿う方向の他端側から一端側に向かって順次膨張させる。引き続いて、左側に位置する複数のエアバッグを施療装置本体の中心線に沿う方向の他端側から一端側に向かって順次膨張させ、このとき同時に、右側に位置する複数のエアバッグを施療装置本体の中心線に沿う方向の一端側から他端側に向かって順次膨張させる。そして、このような動作を繰り返して行うことにより、利用者は体がひねられたようなストレッチの体感を満喫することができる。
【０００９】
また、本発明は、施療装置本体の中心線の左右に略対称にそれぞれ設けられた施療子と、該施療子を被施療部に対して進退方向に駆動する駆動手段と、該施療子を前記施療装置本体の中心線に沿う方向に移動させる移動手段とを備え、前記移動手段によって、左右どちらか一方側の前記施療子を被施療部に対して進出させた状態で前記中心線に沿う方向の一端側から他端側に向けて移動させるとともに、左右どちらか他方側の前記施療子を被施療部に対して進出させた状態で前記中心線に沿う方向の他端側から一端側に向けて移動させることを特徴としている。
【００１０】
上記構成によれば、例えば左側に設けられた施療子を被施療部に対して進出させた状態で施療装置本体の中心線に沿う方向の一端側から他端側に向けて移動させ、このとき同時に、右側に設けられた施療子を被施療部に対して進出させた状態で施療装置本体の中心線に沿う方向の他端側から一端側に向けて移動させる。引き続いて、左側に設けられた施療子を被施療部に対して進出させた状態で施療装置本体の中心線に沿う方向の他端側から一端側に向けて移動させ、このとき同時に、右側に設けられた施療子を被施療部に対して進出させた状態で施療装置本体の中心線に沿う方向の一端側から他端側に向けて移動させる。そして、このような動作を繰り返して行うことにより、利用者は体がひねられたようなストレッチの体感を満喫することができる。
【発明の効果】
【００１１】
本発明によれば、施療装置本体の中心線に沿ってエアバッグが複数配置され、それら複数のエアバッグがすべてねじれ動作するので、施療を希望する利用者のあらゆる部位に対して、ねじれ動作が加わった施療を施すことができる。また、左右のエアバッグがそれぞれの端部側から順次膨張していくので、利用者の体に負担をかけることがない。
【００１２】
また、本発明によれば、施療装置本体の中心線に沿って左右の施療子が互いに逆方向に移動してねじれ動作するので、施療を希望する利用者のあらゆる部位に対して、ねじれ動作が加わった施療を施すことができる。また、左右の施療子がそれぞれの端部側から移動していくので、利用者の体に負担をかけることがない。
【発明を実施するための最良の形態】
【００１３】
以下、本発明の実施例を図面に従って説明する。
【実施例】
【００１４】
図１は、本発明に係る施療装置１の外観を示した斜視図である。この施療装置１は椅子式のもので、肘掛け兼用の脚２、脚２に支持された座部３、座部３の後部にリクライニング可能に装着された背凭れ４、および座部３の前側下部に装着された足載せ台５を備えている。
【００１５】
背凭れ４の上部には、肩用エアバッグ６Ｒ，６Ｌ（Ｒは右側の部品を、Ｌは左側の部品をそれぞれ示す。以下同じ。）が設けられている。肩用エアバッグ６Ｒ，６Ｌは空気が給排気されて膨縮動作を繰り返し、利用者の肩に対するマッサージを行う。
【００１６】
背凭れ４の高さ方向中央には、背中上用エアバッグ７Ｒ，７Ｌと、背中上用エアバッグ７Ｒ，７Ｌの下方に背中下用エアバッグ８Ｒ，８Ｌとが設けられている。これら背中上用エアバッグ７Ｒ，７Ｌおよび背中下用エアバッグ８Ｒ，８Ｌは空気が給排気されて膨縮動作を繰り返し、利用者の背中に対するマッサージを行う。
【００１７】
背凭れ４の下部には、腰上用エアバッグ９Ｒ，９Ｌと、腰上用エアバッグ９Ｒ，９Ｌの下方に腰下用エアバッグ１０Ｒ，１０Ｌとが設けられている。これら腰上用エアバッグ９Ｒ，９Ｌおよび腰下用エアバッグ１０Ｒ，１０Ｌも空気が給排気されて膨縮動作を繰り返し、利用者の腰に対するマッサージを行う。
【００１８】
足載せ台５の前側には左右に脚配設溝５Ｒ，５Ｌが形成され、このうち脚配設溝５Ｒの両側には脚用エアバッグ１１Ｒ，１１Ｒが、また脚配設溝５Ｌの両側には脚用エアバッグ１１Ｌ，１１Ｌがそれぞれ対向配置されている。
【００１９】
また、座部３の下側には上記各エアバッグの膨縮を制御する制御部１２が設置されている。なお、図１において、符号１３は、希望するマッサージを利用者が設定入力するためのリモコンである。
【００２０】
図２は、上記各エアバッグの動作を制御するための制御系統図である。
【００２１】
肩用エアバッグ６Ｒ，６Ｌには空気ホース１４Ｒ，１４Ｌが、背中上用エアバッグ７Ｒ，７Ｌには空気ホース１５Ｒ，１５Ｌが、背中下用エアバッグ８Ｒ，８Ｌには空気ホース１６Ｒ，１６Ｌが、腰上用エアバッグ９Ｒ，９Ｌには空気ホース１７Ｒ，１７Ｌが、腰下用エアバッグ１０Ｒ，１０Ｌには空気ホース１８Ｒ，１８Ｌがそれぞれ接続されている。上記各空気ホースの先端は１つに合流し、エアポンプ１９の吐出側に接続されている。
【００２２】
空気ホース１８Ｒの途中には電磁弁Ｖ１が、空気ホース１７Ｒの途中には電磁弁Ｖ２が、空気ホース１６Ｒの途中には電磁弁Ｖ３が、空気ホース１５Ｒの途中には電磁弁Ｖ４が、空気ホース１４Ｒの途中には電磁弁Ｖ５がそれぞれ設けられている。
【００２３】
また、空気ホース１８Ｌの途中には電磁弁Ｖ６が、空気ホース１７Ｌの途中には電磁弁Ｖ７が、空気ホース１６Ｌの途中には電磁弁Ｖ８が、空気ホース１５Ｌの途中には電磁弁Ｖ９が、空気ホース１４Ｌの途中には電磁弁Ｖ１０がそれぞれ設けられている。
【００２４】
電磁弁Ｖ１〜Ｖ１０は三方弁で構成され、それらの切替動作によって、肩用エアバッグ６Ｒ，６Ｌ、背中上用エアバッグ７Ｒ，７Ｌ、背中下用エアバッグ８Ｒ，８Ｌ、腰上用エアバッグ９Ｒ，９Ｌ、または腰下用エアバッグ１０Ｒ，１０Ｌをエアポンプ１９に連通させたり、外部（外気）に連通させたりすることができる。
【００２５】
また、制御回路２０が設けられ、この制御回路２０は、エアポンプ１９、電磁弁Ｖ１〜Ｖ１０にそれぞれ電気的に接続されている。制御回路２０にはリモコン１３も電気的に接続されている。
【００２６】
なお、電磁弁Ｖ１〜Ｖ１０、エアポンプ１９、および制御回路２０は制御部１２に内蔵されている。図示してないが、脚用エアバッグ１１Ｒ，１１Ｌも電磁弁を介してエアポンプ１９に接続されている。また、電磁弁Ｖ１〜Ｖ１０、エアポンプ１９、および制御回路２０は給排気装置を構成している。
【００２７】
次に、上記構成の施療装置１の動作について説明する。
【００２８】
利用者は施療装置１に腰掛け、リモコン１３を操作して体がひねられたようなストレッチの体感できるモードを選択する。
【００２９】
前記モードが選択されると、制御回路２０は、図３（ａ）に示すように、動作ｔ１において、エアポンプ１９を作動させるとともに、電磁弁Ｖ１(Valve1)と電磁弁Ｖ１０(Valve10)を制御して、エアポンプ１９で圧縮された空気を右側の腰下用エアバッグ１０Ｒおよび左側の肩用エアバッグ６Ｌに流入させて、腰下用エアバッグ１０Ｒおよび肩用エアバッグ６Ｌを膨らませる。図４（ａ）の左端の図は、腰下用エアバッグ１０Ｒおよび肩用エアバッグ６Ｌが網掛けになっており、膨らんでいる様子を示している。なお、図４において、網掛けになった他のエアバッグも膨らんでいることを示している。また、図３において、Ｈ（ハイ）レベルは、エアポンプ１９が作動状態で、各エアバッグ６Ｒ〜１０Ｒ，６Ｌ〜１０Ｌが膨らんだ状態であることを示し、Ｌ（ロー）レベルは、エアポンプ１９が非作動状態で、各エアバッグ６Ｒ〜１０Ｒ，６Ｌ〜１０Ｌが縮んだ状態であることを示している。
【００３０】
腰下用エアバッグ１０Ｒおよび肩用エアバッグ６Ｌを膨らませてから所定時間経過後、制御回路２０は、図３（ａ）に示すように、電磁弁Ｖ１(Valve1)と電磁弁Ｖ１０(Valve10)を制御して、腰下用エアバッグ１０Ｒおよび肩用エアバッグ６Ｌ内部の圧縮空気を外部に排気させ、腰下用エアバッグ１０Ｒおよび肩用エアバッグ６Ｌを縮ませる。
【００３１】
腰下用エアバッグ１０Ｒおよび肩用エアバッグ６Ｌを縮ませると同時に、動作ｔ２に入り、制御回路２０は、電磁弁Ｖ２(Valve2)と電磁弁Ｖ９(Valve9)を制御して、エアポンプ１９で圧縮された空気を右側の腰上用エアバッグ９Ｒおよび左側の背中上用エアバッグ７Ｌに流入させて、腰上用エアバッグ９Ｒおよび背中上用エアバッグ７Ｌを膨らませる（図４（ａ）参照）。
【００３２】
腰上用エアバッグ９Ｒおよび背中上用エアバッグ７Ｌを膨らませてから所定時間経過後、制御回路２０は、電磁弁Ｖ２(Valve2)と電磁弁Ｖ９(Valve9)を制御して、腰上用エアバッグ９Ｒおよび背中上用エアバッグ７Ｌ内部の圧縮空気を外部に排気させ、腰上用エアバッグ９Ｒおよび背中上用エアバッグ７Ｌを縮ませる。
【００３３】
腰上用エアバッグ９Ｒおよび背中上用エアバッグ７Ｌを縮ませると同時に、動作ｔ３に入り、制御回路２０は、電磁弁Ｖ３(Valve3)と電磁弁Ｖ８(Valve8)を制御して、エアポンプ１９で圧縮された空気を右側の背中下用エアバッグ８Ｒおよび左側の背中下用エアバッグ８Ｌに流入させて、背中下用エアバッグ８Ｒおよび背中下用エアバッグ８Ｌを膨らませる（図４（ａ）参照）。
【００３４】
背中下用エアバッグ８Ｒおよび背中下用エアバッグ８Ｌを膨らませてから所定時間経過後、制御回路２０は、電磁弁Ｖ３(Valve3)と電磁弁Ｖ８(Valve8)を制御して、背中下用エアバッグ８Ｒおよび背中下用エアバッグ８Ｌ内部の圧縮空気を外部に排気させ、背中下用エアバッグ８Ｒおよび背中下用エアバッグ８Ｌを縮ませる。
【００３５】
背中下用エアバッグ８Ｒおよび背中下用エアバッグ８Ｌを縮ませると同時に、動作ｔ４に入り、制御回路２０は、電磁弁Ｖ４(Valve4)と電磁弁Ｖ７(Valve7)を制御して、エアポンプ１９で圧縮された空気を右側の背中上用エアバッグ７Ｒおよび左側の腰上用エアバッグ９Ｌに流入させて、背中上用エアバッグ７Ｒおよび腰上用エアバッグ９Ｌを膨らませる（図４（ａ）参照）。
【００３６】
背中上用エアバッグ７Ｒおよび腰上用エアバッグ９Ｌを膨らませてから所定時間経過後、制御回路２０は、電磁弁Ｖ４(Valve4)と電磁弁Ｖ７(Valve7)を制御して、背中上用エアバッグ７Ｒおよび腰上用エアバッグ９Ｌ内部の圧縮空気を外部に排気させ、背中上用エアバッグ７Ｒおよび腰上用エアバッグ９Ｌを縮ませる。
【００３７】
背中上用エアバッグ７Ｒおよび腰上用エアバッグ９Ｌを縮ませると同時に、動作ｔ５に入り、制御回路２０は、電磁弁Ｖ５(Valve5)と電磁弁Ｖ６(Valve6)を制御して、エアポンプ１９で圧縮された空気を右側の肩用エアバッグ６Ｒおよび左側の腰下用エアバッグ１０Ｌに流入させて、肩用エアバッグ６Ｒおよび腰下用エアバッグ１０Ｌを膨らませる（図４（ａ）参照）。
【００３８】
肩用エアバッグ６Ｒおよび腰下用エアバッグ１０Ｌを膨らませてから所定時間経過後、制御回路２０は、電磁弁Ｖ５(Valve5)と電磁弁Ｖ６(Valve6)を制御して、肩用エアバッグ６Ｒおよび腰下用エアバッグ１０Ｌ内部の圧縮空気を外部に排気させ、肩用エアバッグ６Ｒおよび腰下用エアバッグ１０Ｌを縮ませる。このとき同時に、エアポンプ１９の作動も停止させる。
【００３９】
引き続き、制御回路２０は、ワンクッションおいてから動作ｔ６〜ｔ１０を実行する。
【００４０】
制御回路２０は、図３（ｂ）に示すように、動作ｔ６において、エアポンプ１９を作動させるとともに、電磁弁Ｖ５(Valve5)と電磁弁Ｖ６(Valve6)を制御し、エアポンプ１９で圧縮された空気を右側の肩用エアバッグ６Ｒおよび左側の腰下用エアバッグ１０Ｌに流入させて、肩用エアバッグ６Ｒおよび腰下用エアバッグ１０Ｌを膨らませる。（図４（ｂ）参照)。
【００４１】
肩用エアバッグ６Ｒおよび腰下用エアバッグ１０Ｌを膨らませてから所定時間経過後、制御回路２０は、電磁弁Ｖ５(Valve5)と電磁弁Ｖ６(Valve6)を制御して、肩用エアバッグ６Ｒおよび腰下用エアバッグ１０Ｌ内部の圧縮空気を外部に排気させ、肩用エアバッグ６Ｒおよび腰下用エアバッグ１０Ｌを縮ませる。
【００４２】
肩用エアバッグ６Ｒおよび腰下用エアバッグ１０Ｌを縮ませると同時に、動作ｔ７に入り、制御回路２０は、電磁弁Ｖ４(Valve4)と電磁弁Ｖ７(Valve7)を制御して、エアポンプ１９で圧縮された空気を右側の背中上用エアバッグ７Ｒおよび左側の腰上用エアバッグ９Ｌに流入させて、背中上用エアバッグ７Ｒおよび腰上用エアバッグ９Ｌを膨らませる（図４（ｂ）参照）。
【００４３】
背中上用エアバッグ７Ｒおよび腰上用エアバッグ９Ｌを膨らませてから所定時間経過後、制御回路２０は、電磁弁Ｖ４(Valve4)と電磁弁Ｖ７(Valve7)を制御して、背中上用エアバッグ７Ｒおよび腰上用エアバッグ９Ｌ内部の圧縮空気を外部に排気させ、背中上用エアバッグ７Ｒおよび腰上用エアバッグ９Ｌを縮ませる。
【００４４】
背中上用エアバッグ７Ｒおよび腰上用エアバッグ９Ｌを縮ませると同時に、動作ｔ８に入り、制御回路２０は、電磁弁Ｖ３(Valve3)と電磁弁Ｖ８(Valve8)を制御して、エアポンプ１９で圧縮された空気を右側の背中下用エアバッグ８Ｒおよび左側の背中下用エアバッグ８Ｌに流入させて、背中下用エアバッグ８Ｒおよび背中下用エアバッグ８Ｌを膨らませる（図４（ｂ）参照）。
【００４５】
背中下用エアバッグ８Ｒおよび背中下用エアバッグ８Ｌを膨らませてから所定時間経過後、制御回路２０は、電磁弁Ｖ３(Valve3)と電磁弁Ｖ８(Valve8)を制御して、背中下用エアバッグ８Ｒおよび背中下用エアバッグ８Ｌ内部の圧縮空気を外部に排気させ、背中下用エアバッグ８Ｒおよび背中下用エアバッグ８Ｌを縮ませる。
【００４６】
背中下用エアバッグ８Ｒおよび背中下用エアバッグ８Ｌを縮ませると同時に、動作ｔ９に入り、制御回路２０は、電磁弁Ｖ２(Valve2)と電磁弁Ｖ９(Valve9)を制御して、エアポンプ１９で圧縮された空気を右側の腰上用エアバッグ９Ｒおよび左側の背中上用エアバッグ７Ｌに流入させて、腰上用エアバッグ９Ｒおよび背中上用エアバッグ７Ｌを膨らませる（図４（ｂ）参照）。
【００４７】
腰上用エアバッグ９Ｒおよび背中上用エアバッグ７Ｌを膨らませてから所定時間経過後、制御回路２０は、電磁弁Ｖ２(Valve2)と電磁弁Ｖ９(Valve9)を制御して、腰上用エアバッグ９Ｒおよび背中上用エアバッグ７Ｌ内部の圧縮空気を外部に排気させ、腰上用エアバッグ９Ｒおよび背中上用エアバッグ７Ｌを縮ませる。
【００４８】
腰上用エアバッグ９Ｒおよび背中上用エアバッグ７Ｌを縮ませると同時に、動作ｔ１０に入り、制御回路２０は、電磁弁Ｖ１(Valve1)と電磁弁Ｖ１０(Valve10)を制御して、エアポンプ１９で圧縮された空気を右側の腰下用エアバッグ１０Ｒおよび左側の肩用エアバッグ６Ｌに流入させて、腰下用エアバッグ１０Ｒおよび肩用エアバッグ６Ｌを膨らませる（図４（ｂ）参照）。
【００４９】
腰下用エアバッグ１０Ｒおよび肩用エアバッグ６Ｌを膨らませてから所定時間経過後、制御回路２０は、電磁弁Ｖ１(Valve1)と電磁弁Ｖ１０(Valve10)を制御して、腰下用エアバッグ１０Ｒおよび肩用エアバッグ６Ｌ内部の圧縮空気を外部に排気させ、腰下用エアバッグ１０Ｒおよび肩用エアバッグ６Ｌを縮ませる。このとき同時に、エアポンプ１９の作動も停止させる。
【００５０】
本実施例では、図４に示すように、動作ｔ１〜ｔ５のときは、右側に配列されたエアバッグに対しては最下段の腰下用エアバッグ１０Ｒから上方向に順番に一つずつ膨縮させ、左側に配列されたエアバッグに対しては最上段の肩用エアバッグ６Ｌから下方向に順番に一つずつ膨縮させている。また、動作ｔ６〜ｔ１０のときは、右側に配列されたエアバッグに対しては最上段の肩用エアバッグ６Ｒから下方向に順番に一つずつ膨縮させ、左側に配列されたエアバッグに対しては最下段の腰下用エアバッグ１０Ｌから上方向に順番に一つずつ膨縮させている。このように膨縮させるエアバッグの順番を左右で逆方向にすると、利用者は体がひねられたようなストレッチの体感を満喫することができる。
【００５１】
本実施例では、あるエアバッグの収縮が完了してから、次のエアバッグを膨張させていたが、必ずしもこの膨縮方法に限定される必要はなく、収縮完了前に次のエアバッグの膨張を開始してもよい。このようにすれば、ねじり動作がより強力になる。
【００５２】
また、膨縮させるタイミングは、図３のように完全に同期させなくてもよく、左右のエアバッグで所定の関係を有してさえいれば（言い換えると、完全にランダムでさえなければ）、所定時間ずつずらして膨縮させるような場合（例えば、右側のエアバッグの膨張開始１秒後に、左側のエアバッグの膨張を開始し、以後そのような関係が続行するような場合）も含まれる。
【００５３】
なお、本発明は、エアバッグ式の施療装置だけでなく、被施療部を施療子で押圧する機械式の施療装置にも適用できる。例えば、施療装置本体の中心線の左右に略対称にそれぞれ設けられた施療子と、この施療子を被施療部に対して進退方向に駆動させる駆動手段と、施療子を施療装置本体の中心線に沿う方向に移動させる移動手段とを備えた施療装置において、前記移動手段によって、左右どちらか一方側の施療子を被施療部に対して進出させた状態で施療装置本体の中心線に沿う方向の一端側から他端側に向けて移動させるとともに、左右どちらか他方側の施療子を被施療部に対して進出させた状態で施療装置本体の中心線に沿う方向の他端側から一端側に向けて移動させるように構成する。
【００５４】
また、上記実施例では椅子式の施療装置について説明したが、本発明はマット式の施療装置にも適用できる。
【図面の簡単な説明】
【００５５】
【図１】本発明に係る施療装置の外観斜視図である。
【図２】エアバッグの動作を制御するための制御系統図である。
【図３】（ａ）は一方向へマッサージする場合のタイミング動作を示した図、（ｂ）は（ａ）とは逆向きにマッサージする場合のタイミング動作を示した図である。
【図４】（ａ）は一方向へマッサージする場合のエアバッグの動作を示した図、（ｂ）は（ａ）とは逆向きにマッサージする場合のエアバッグの動作を示した図である。
【符号の説明】
【００５６】
１  施療装置
４  背凭れ
６Ｒ，６Ｌ  肩用エアバッグ
７Ｒ，７Ｌ  背中上用エアバッグ
８Ｒ，８Ｌ  背中下用エアバッグ
９Ｒ，９Ｌ  腰上用エアバッグ
１０Ｒ，１０Ｌ  腰下用エアバッグ
１２  制御部
１３  リモコン
１４Ｒ〜１８Ｒ，１４Ｌ〜１８Ｌ  空気ホース
１９  エアポンプ
２０  制御回路
Ｖ１〜Ｖ１０  電磁弁
【図１】
2005328942.tif 000003
【図２】
2005328942.tif 000004
【図３】
2005328942.tif 000005
【図４】
2005328942.tif 000006